(57)【要約】【課題】円形のケーキを綺麗に且つ簡単に均等に切り分けることができ、清潔で、クリームの塗布されたケーキにも適用可能なケーキカット補助具を提供する。【解決手段】円形のケーキＷを均等に切り分けるためのものであって、細長い中心ピン２と、ほぼ円盤状の等分プレート３とを備え、前記中心ピン２は、一様な断面を有する細い導入部４、一様な断面及び導入部４と異なる長さを有する杭部５、並びに導入部４と杭部５との間に位置し導入部４及び杭部５よりも外側に張り出している鍔部６とを有し、前記等分プレート３は、前記導入部４を通すことのできる貫通孔を中心に有し、周縁から前記貫通孔近傍まで切り込まれた複数のガイド溝を周方向に均等に有することを特徴とする。【選択図】図３
2010268976.tif 000002
【特許請求の範囲】
【請求項１】
円形のケーキを均等に切り分けるためのものであって、細長い中心ピンと、ほぼ円盤状の等分プレートとを備え、
前記中心ピンは、一様な断面を有する細い導入部、一様な断面及び導入部と異なる長さを有する杭部、並びに導入部と杭部との間に位置し導入部及び杭部よりも外側に張り出している鍔部とを有し、
前記等分プレートは、前記導入部を通すことのできる貫通孔を中心に有し、周縁から前記貫通孔近傍まで切り込まれた複数のガイド溝を周方向に均等に有する
ことを特徴とするケーキカット補助具。
【請求項２】
前記導入部の断面は円形であって、前記鍔部は導入部に連なる非円形断面の上回り止め部と上回り止め部に連なり上回り止め部よりも外側に張り出している支持部とからなり、前記貫通孔は前記上回り止め部と相補する形状をなしている請求項１に記載のケーキカット補助具。
【請求項３】
前記杭部の断面が円形であって、前記鍔部が支持部と杭部との間に非円形断面の下回り止め部を有する請求項１に記載のケーキカット補助具。
【請求項４】
前記導入部及び杭部の断面は同じ直径を有し、前記上回り止め部及び下回り止め部の断面は同じ形状及び大きさを有する請求項１に記載のケーキカット補助具。
【発明の詳細な説明】
【技術分野】
【０００１】
円形のケーキを均等に切り分けるための補助具に関する。
【背景技術】
【０００２】
円形のケーキを家庭において等分に、特に奇数等分に目分量で切り分けることは極めて困難である。これを解決するために例えば、互いにスライド可能で目盛りの付いた調整板と調整板収納部にそれぞれ紐の一端及び他端を固定し、その紐の中間部を支柱に固定してなる補助具が提案されている（特許文献１）。これは、弦の長さが中心角に比例することを利用して、予め調整板の目盛りに中心角を書き込んでおき、使用時には切り取りたい角度の目盛り位置に調整板と調整板収納部とを互いにスライドさせ、支柱をケーキの中心に差し込み、角度の決められた紐で切断するというものである。
また、トレーもしくはシートに複数の同心円を描き、それらの同心円を等分する目盛りを円周方向に設け、使用時にはケーキをその上に載せて、目盛りに沿ってナイフで切断するという補助具も提案されている（特許文献２〜４）。
【先行技術文献】
【特許文献】
【０００３】
【特許文献１】実開平５−２０８９８号公報
【特許文献２】実開平７−３５４７号公報
【特許文献３】実用新案登録第３０４２２７０号公報
【特許文献４】実用新案登録第３１１８１７１号公報
【発明の概要】
【発明が解決しようとする課題】
【０００４】
しかし、特許文献１に記載の補助具の場合、紐が弛んで正確に切れない、切断面があまり綺麗でない、紐が切れることがある、洗浄しにくく不潔である等の難点を有する。また、特許文献２〜４に記載の補助具の場合、ケーキのスポンジ部分製造後にトレーもしくはシートにケーキを載せ替えなければならず、手間がかかるうえ、クリーム塗布後に載せ替えるのは困難である。
それ故、この発明の課題は、円形のケーキを綺麗に且つ簡単に均等に切り分けることができ、清潔で、クリームの塗布されたケーキにも適用可能なケーキカット補助具を提供することにある。
【課題を解決するための手段】
【０００５】
その課題を解決するために、この発明の補助具は、
細長い中心ピンと、ほぼ円盤状の等分プレートとを備え、
前記中心ピンは、一様な断面を有する細い導入部、一様な断面及び導入部と異なる長さを有する杭部、並びに導入部と杭部との間に位置し導入部及び杭部よりも外側に張り出している鍔部とを有し、
前記等分プレートは、前記導入部と嵌合しうる貫通孔を中心に有し、周縁から前記貫通孔近傍まで切り込まれた複数のガイド溝を周方向に均等に有する
ことを特徴とする。
【０００６】
この発明の補助具は以下の手順で使用される。先ず、切り分けたいケーキ断片の個数に等しい数のガイド溝を有する等分プレートを選択する。そして、中心ピンの導入部を等分プレートの貫通孔に通して、杭部をケーキの中心に差し込む。中心ピンの杭部をケーキに差し込んでから、等分プレートの貫通孔に導入部を通してもよい。その後、ナイフの先端を一つのガイド溝に挿入し、ガイド溝によって規制される径方向にケーキを切断する。等分プレート及び中心ピンを回転させないようにして、残りのガイド溝に対しても同様の操作を実行する。ガイド溝が周方向に均等に設けられていることから、ケーキがガイド溝の数に等しい数のケーキ断片に均等に切り分けられる。
【発明の効果】
【０００７】
ガイド溝によって規制されながらナイフで切断するので、正確に均等に切り分けられ、切断面が綺麗である。使用後はナイフはもとより、補助具も中心ピンと等分プレートを分離して容易に洗浄することができ、清潔である。そして、ケーキを移動させる必要がないのでクリームの塗布されたケーキにも適用可能である。
【図面の簡単な説明】
【０００８】
【図１】（ａ）は実施形態の中心ピンを示す平面図、（ｂ）は同じく正面図である。
【図２】（ａ）は実施形態の三等分用等分プレートを示す平面図、（ｂ）は同じく右側面図である。
【図３】実施形態の補助具の使用状態を示す斜視図である。
【図４】（ａ）は実施形態の五等分用等分プレートを示す平面図、（ｂ）は同じく右側面図である。
【図５】（ａ）は実施形態の六等分用等分プレートを示す平面図、（ｂ）は同じく右側面図である。
【図６】（ａ）は実施形態の七等分用等分プレートを示す平面図、（ｂ）は同じく右側面図である。
【発明を実施するための形態】
【０００９】
この発明の実施形態を図面とともに説明する。図１〜３に示すように、実施形態に係るケーキカット補助具１は、細長い中心ピン２及びほぼ円盤状の等分プレート３の二つの要素を備える。いずれもステンレスもしくはプラスチックからなる。
中心ピン２は、一様な円形の横断面を有する細い導入部４、導入部４と同じ直径の一様な円形の横断面を有し導入部４よりも長い杭部５、並びに導入部４と杭部５との間に位置する鍔部６からなる。鍔部６は、導入部４に連なり平面視で導入部４に外接する正三角形の上回り止め部６ａと、上回り止め部６ａに連なり平面視で上回り止め部６ａに外接する円形の支持部６ｂと、支持部６ｂに連なり平面視で支持部６ｂに内接する正三角形の下回り止め部６ｃとからなる。
【００１０】
等分プレート３は、導入部を通すことができ且つ上回り止め部６ａと相補する平面視三角形をなしている貫通孔３ａを中心に有し、周縁から貫通孔３ａ近傍まで切り込まれた３つのガイド溝３ｂを周方向に均等に即ち１２０度間隔で有する。この等分プレート３は三等分用である。五等分用、六等分用又は七等分用の場合は、図４、図５及び図６に示すように、各々５つ、６つ又は７つのガイド溝を７２度間隔、６０度間隔又は５１．４度間隔で有する。
【００１１】
この補助具１は以下の手順で使用される。先ず、切り分けたいケーキ断片の個数に等しい数のガイド溝を有する等分プレートを選択する。例えば円形のケーキＷを３個に切り分けたいとするなら、等分プレート３を選択する。そして、中心ピン２の導入部４を等分プレート３の貫通孔３ａに通し、貫通孔３ａを上回り止め部６ａと嵌合させて、杭部５をケーキＷの中心に差し込む。杭部５をケーキＷに差し込んでから、貫通孔３ａに導入部４を通してもよい。その後、ナイフＫの先端を一つのガイド溝３ｂに挿入し、ケーキＷを切断する。
【００１２】
下回り止め部６ｃが横断面三角形をなしてケーキＷに食い込んでいるので、中心ピン２がケーキＷに対して回転することはない。また、上回り止め部６ａ及び貫通孔３ａが横断面三角形をなして互いに嵌合しているので、等分プレート３が中心ピン２に対して回転することもない。従って、ケーキＷは、ガイド溝３ｂによって規制される径方向に正確に切断される。残りの二つのガイド溝３ａに対しても同様の操作を実行する。こうして３個のケーキ断片に均等に切り分けられる。
ナイフＫで切断するので、切断面が綺麗である。使用後はナイフＫはもとより、補助具１も中心ピン２と等分プレート３を分離して容易に洗浄することができ、清潔である。そして、ケーキＷを移動させる必要がないのでクリームの塗布されたケーキにも適用可能である。
【００１３】
尚、上下の回り止め部は三角形に限らず非円形であればよい。また、杭部は機械的強度に支障ない範囲で先細りであってもよい。更にまた、下回り止め部を無くして、これに替えて杭部自体を横断面非円形とすることにより、ケーキＷに対する回転を抑制してもよい。
但し、この実施形態における如く、導入部４と杭部５とを長さが相違する以外は同一形状とし、上下の回り止め部６ａ、６ｃも同一形状とすることにより、ケーキＷの厚さが薄い場合は補助具１を天地逆転させて導入部４を杭部、杭部５を導入部として用いることができる。
【符号の説明】
【００１４】
１  ケーキカット補助具
２  中心ピン
３  等分プレート
４  導入部
５  杭部
６  鍔部
【図１】
2010268976.tif 000003
【図２】
2010268976.tif 000004
【図３】
2010268976.tif 000005
【図４】
2010268976.tif 000006
【図５】
2010268976.tif 000007
【図６】
2010268976.tif 000008